(57)【要約】【課題】ユーザが自分の好みにあった色彩でＯＳＤ画像を表示させることができる受信装置を提供する。【解決手段】ＯＳＤ画像メモリ５には、その色彩が基準であるＯＳＤ画像が記憶されている。色彩設定部７には、ユーザにより設定されたＯＳＤ画像の輝度、透過度、彩度についての変更設定データが記憶されている。ＳＴＢ１は、色彩設定部７に記憶されているＯＳＤ画像の輝度、透過度、彩度についての変更設定データにもとづいて、ＯＳＤ画像メモリ５に記憶されているＯＳＤ画像の色彩を変更し、この色彩を変更したＯＳＤ画像を番組の画像に重ね合わせた合成映像を生成し、出力部８から出力する。したがって、ＯＳＤ画像の輝度、透過度、彩度をユーザが自分の好みに合わせて変更することができる。【選択図】図１
2004172792.tif 000002
【特許請求の範囲】
【請求項１】
選択されているチャンネルで放送されている番組を受信する受信手段と、
上記受信手段が受信した番組の映像に、ＯＳＤ画像を重ね合わせた合成映像を生成する合成映像生成手段と、
上記受信手段が受信した番組の映像、または上記合成映像生成手段が生成した合成映像を選択的に出力する映像出力手段と、を備えた受信装置において、
上記ＯＳＤ画像の色彩について、基準の色彩に対する変化量を設定する色彩設定手段を備え、
上記合成映像生成手段は、上記色彩設定手段の設定内容に基いて色彩を調整したＯＳＤ画像を重ね合わせた合成映像を生成する際に、上記ＯＳＤ画像の輝度および透過度については予め定められている上限値と下限値との範囲内に調整するとともに、文字と背景とのコントラストの差が所定レベル未満であれば、このコントラストが所定レベルになるように文字の色彩を変化させたＯＳＤ画像を、上記受信手段が受信した番組の映像に重ね合わせた合成映像を生成する手段であり、
さらに、上記合成映像生成手段に対して、上記受信手段が受信した番組の映像に重ね合わせる上記ＯＳＤ画像について、上記色彩設定手段の設定内容に基く色彩の調整を禁止する領域を設定する色彩調整制限手段と、を備えた受信装置。
【請求項２】
選択されているチャンネルで放送されている番組を受信する受信手段と、
上記受信手段が受信した番組の映像に、ＯＳＤ画像を重ね合わせた合成映像を生成する合成映像生成手段と、
上記受信手段が受信した番組の映像、または上記合成映像生成手段が生成した合成映像を選択的に出力する映像出力手段と、を備えた受信装置において、
上記ＯＳＤ画像の色彩について、基準の色彩に対する変化量を設定する色彩設定手段を備え、
上記合成映像生成手段は、上記受信手段が受信した番組の映像に、上記色彩設定手段の設定内容に基いて色彩を調整し、この色彩を調整した上記ＯＳＤ画像を重ね合わせた合成映像を生成する受信装置。
【請求項３】
上記合成映像生成手段は、上記色彩設定手段の設定内容に基いて上記ＯＳＤ画像の色彩を調整するときに、このＯＳＤ画像の輝度および透過度については予め定められている上限値と下限値との範囲内に調整する請求項２に記載の受信装置。
【請求項４】
上記合成映像生成手段に対して、上記受信手段が受信した番組の映像に重ね合わせる上記ＯＳＤ画像について、上記色彩設定手段の設定内容に基く色彩の調整を禁止する領域を設定する色彩調整制限手段を備えた請求項２、または３に記載の受信装置。
【請求項５】
上記合成映像生成手段は、上記受信手段が受信した番組の映像に重ね合わせる上記ＯＳＤ画像について、文字と背景とのコントラストの差が所定レベル未満であれば、このコントラストが所定レベルになるように文字の色彩を変化させる請求項２〜４のいずれかに記載の受信装置。
【発明の詳細な説明】
【０００１】
【発明の属する技術分野】
この発明は、受信した番組の映像に、メニュー画面等のＯＳＤ画像を重ね合わせた合成映像を生成し、出力する受信装置に関する。
【０００２】
【従来の技術】
従来、アナログのテレビ受像機に接続することで、ディジタル放送の番組を視聴することができるセットトップボックス（ＳＴＢ）や、このＳＴＢを内臓したテレビ受像機が実用化されている。一般的なＳＴＢには、本体の動作をユーザが自分の好みに合わせて調整することができるように、各種パラメータの設定画面等のＯＳＤ画像を、現在受信している番組の映像に重ね合わせて表示させるＯＳＤ機能（オンスクリーンディスプレイ機能）が設けられている。ユーザは、このＯＳＤ機能によりテレビ受像機の画面上に表示される設定画面の案内により各種パラメータの設定が容易に行える。また、各種パラメータの設定画面だけでなく、画面の右上または左上に現在時刻や現在選択されているチャンネル等を表示するＯＳＤ画像もある。
【０００３】
ところで、２つの画像を重ね合わせて表示する際に、これらの画像の色彩（輝度、透過度、彩度等）が大きく異なっていると、これらの画像の境界部分において映像に歪みが生じることがある。また、２つの画像を重ね合わせて表示する際に、一方の画像の色彩によっては、他方の画像に含まれている文字が見えにくくなることもある。この問題に対して、２つの画像を重ね合わせて表示する際に境界部分の彩度を調整して境界部分における映像の歪みを防止する機能を有する装置や（例えば、特許文献１）、文字と背景画像とが同じ色にならないように調整する機能を有する装置が（例えば、特許文献２）、が提案されている。
【０００４】
【特許文献１】
特許第２７１３６７７号公報
【特許文献２】
特開平８−２１１８６０号公報
【０００５】
【発明が解決しようとする課題】
しかしながら、従来のＳＴＢにおいては、ＯＳＤ画像が各種パラメータの設定メニュー画面であることから、ユーザがＯＳＤ画像の色彩を調整することができない構成であった。したがって、ＯＳＤ画像は予め定められた色彩でしか表示させることができず、ユーザが自分の好みにあった色彩でＯＳＤ画像を表示させたり、重ね合わせる番組の映像に合わせてＯＳＤ画像の色彩を変更することができないという問題があった。
【０００６】
この発明の目的は、ユーザが自分の好みに応じてＯＳＤ画像の色彩を調整することができるとともに、色彩が調整されたＯＳＤ画像の視認性を確保することができる受信装置を提供することにある。
【０００７】
【課題を解決するための手段】
この発明の受信装置は、上記課題を解決するために以下の構成を備えている。
【０００８】
（１）選択されているチャンネルで放送されている番組を受信する受信手段と、
上記受信手段が受信した番組の映像に、ＯＳＤ画像を重ね合わせた合成映像を生成する合成映像生成手段と、
上記受信手段が受信した番組の映像、または上記合成映像生成手段が生成した合成映像を選択的に出力する映像出力手段と、を備えた受信装置において、
上記ＯＳＤ画像の色彩について、基準の色彩に対する変化量を設定する色彩設定手段を備え、
上記合成映像生成手段は、上記受信手段が受信した番組の映像に、上記色彩設定手段の設定内容に基いて色彩を調整し、この色彩を調整した上記ＯＳＤ画像を重ね合わせた合成映像を生成する。
【０００９】
この構成では、色彩設定手段においてＯＳＤ画像の基準の色彩に対する変化量を設定することができ、上記色彩設定手段の設定内容に基いて合成映像生成手段が色彩を調整した上記ＯＳＤ画像を受信手段が受信した番組の映像に重ね合わせた合成映像を生成し、映像出力手段がこの合成映像を出力する。
【００１０】
したがって、ユーザは色彩設定手段でＯＳＤ画像の基準の色彩に対する変化量を設定するだけで、受信手段が受信した番組の映像に、自分の好みに合った色彩のＯＳＤ画像を重ね合わせた合成映像を表示させ、視聴することができる。
【００１１】
また、ＯＳＤ画像の色彩の調整としては、例えば輝度、透過度、彩度を、それぞれ個別に連続的に調整できるようにすれば、ユーザが自分の好みに合った色彩に容易に調整できる。
【００１２】
（２）上記合成映像生成手段は、上記色彩設定手段の設定内容に基いて上記ＯＳＤ画像の色彩を調整するときに、このＯＳＤ画像の輝度および透過度については予め定められている上限値と下限値との範囲内に調整する。
【００１３】
この構成では、ＯＳＤ画像の輝度および透過度については予め定められている上限値と下限値との範囲内でのみ調整可能としたので、透過度が大きくなりすぎてＯＳＤ画像が全く表示されなくなったり（見えなくなったり）、ＯＳＤ画像が極めて暗くなりすぎたり、明るくなりすぎて、受信手段が受信した番組の映像との輝度の差が大きくなりすぎる（歪んだ合成映像が表示される）のを防止できる。
【００１４】
（３）上記合成映像生成手段に対して、上記受信手段が受信した番組の映像に重ね合わせる上記ＯＳＤ画像について、上記色彩設定手段の設定内容に基く色彩の調整を禁止する領域を設定する色彩調整制限手段を備えている。
【００１５】
この構成では、色彩調整制限手段により、色彩設定手段の設定内容に基く色彩の調整を禁止する領域が設定できるので、ＯＳＤ画像において、ユーザに色彩を変更させたくない部分、例えば文字等、については、ユーザによる色彩の調整を制限することができる。
【００１６】
色彩の調整を禁止する領域を設定する方法としては、ＯＳＤ画像における領域が設定できるようにしてもよいし、色彩の調整を禁止するＯＳＤ画像の色を設定するようにしてもよい。例えば、黒色については色彩の調整を禁止するという設定が行えるようにしてもよい。
【００１７】
（４）上記合成映像生成手段は、上記受信手段が受信した番組の映像に重ね合わせる上記ＯＳＤ画像について、文字と背景とのコントラストの差が所定レベル未満であれば、このコントラストが所定レベルになるように文字の色彩を変化させる。
【００１８】
この構成では、文字と背景とのコントラストの差が所定レベル未満になることがないので、文字が見やすいＯＳＤ画像を表示することができる。
【００１９】
【発明の実施の形態】
以下、この発明の実施形態であるＳＴＢ（セットトップボックス）について説明する。
【００２０】
図１は、この発明の実施形態であるＳＴＢの構成を示すブロック図である。この実施形態のＳＴＢ１は、ディジタル放送の番組を受信する装置である。ＳＴＢ１は、本体の動作を制御する制御部２と、アンテナ１１で受信したテレビ放送信号から選択されているチャンネルで放送されている番組の映像信号および音声信号を抽出する受信部３と、受信部３で抽出された映像信号および音声信号をデコードするデコーダ４と、ＯＳＤ画像を記憶したＯＳＤ画像メモリ５と、デコーダ４でデコードされた映像信号に基く番組の映像にＯＳＤ画像を重ね合わせた合成映像を生成する合成映像生成部６と、合成映像生成部６において番組の映像に重ね合わせるＯＳＤ画像の色彩を設定する色彩設定部７と、番組の映像または合成映像を出力する出力部８と、入力操作を行う操作部９と、を備えている。
【００２１】
デコーダ４は、例えばＭＰＥＧ（ＭＰＥＧ２）方式でエンコードされた映像データ、音声データをデコードする。合成映像生成部６は、制御部２からの指示にしたがって、番組の映像をスルーして直接出力する場合と、番組の映像にＯＳＤ画像を重ね合わせた合成映像を生成し出力する場合とで動作を切り替える。ＯＳＤ画像メモリ５には、ＯＳＤ画像データが記憶されている。このＯＳＤ画像データは、各画素の基準の色彩（輝度、透過度、彩度）を示すデータである。色彩設定部７には、ＯＳＤ画像の基準の色彩に対する変更量が輝度、透過度、彩度についてそれぞれ記憶されている。色彩設定部７に記憶されているＯＳＤ画像の基準の色彩に対する変更量は、操作部９における所定の入力操作で変更できる。操作部９には、入力操作行う複数のボタンだけでなく、図示していないリモコン装置から送信されてきた制御コードを受信する受信機能を有している。出力部８には、テレビ受像機等が接続され、このテレビ受像機において、出力部８から出力された映像信号に基く映像、および音声信号に基く音声を視聴することができる。
【００２２】
次に、この実施形態のＳＴＢ１の動作について説明する。まず、ＯＳＤ画像を重ね合わせることなく、受信部３で受信した番組の映像を出力する場合の動作について簡単に説明する。
【００２３】
ＳＴＢ１は、アンテナ１１で受信されたテレビ放送信号から、現在選択されているチャンネルで放送されている番組の映像信号、および音声信号を抽出する。ここで抽出される映像信号、および音声信号は、ＭＰＥＧ方式でエンコードされている。デコーダ４は、受信部３で抽出された番組の映像信号、および音声信号をデコードする。デコーダ４でデコードされた映像信号、および音声信号は、合成映像生成部６をスルーして、出力部８においてアナログの映像信号、および音声信号に変換されて出力される。
【００２４】
出力部８には、テレビ受像機が接続されており、このテレビ受像機において出力部８から出力された映像信号に基く映像が表示されるとともに、音声信号に基く音声が出力される。したがって、ＳＴＢ１において選択されているチャンネルで放送されているディジタル放送の番組が、出力部８に接続されたテレビ受像機において視聴できる。
【００２５】
次に、ＯＳＤ画像メモリ５に記憶されているＯＳＤ画像を、選択されている番組の映像に重ね合わせた合成映像を生成し、出力する処理について説明する。ＯＳＤ画像は、例えば本体の動作を制御する各種パラメータの設定案内画像であったり、現在選択されているチャンネルや現在時刻を表示する画像である。ＯＳＤ画像メモリ５には、ＯＳＤ画像の画素毎に基準の色彩（輝度、透過度、彩度）が記憶されている。
【００２６】
この実施形態のＳＴＢ１は、ＯＳＤ画像の輝度、透過度、彩度について、それぞれ個別に１１段階の調整が行える。具体的には、色彩設定部７には、輝度の調整パラメータｒ１、透過度の調整パラメータｒ２、および彩度（赤、緑、青）の調整パラメータｒ３〜ｒ５が記憶されている。ｒ１〜ｒ５は、それぞれ個別に０〜１０の整数が設定される。設定されたｒ１〜ｒ５に基いて、以下の式によりＯＳＤ画像の変更後の輝度、透過度、彩度が決定される。
変更後の輝度＝基準の輝度×（ｒ１＋５）／１０
変更後の透過度＝基準の透過度×（ｒ２＋５）／１０
変更後の彩度（赤）＝基準の彩度×（ｒ３＋５）／１０
変更後の彩度（緑）＝基準の彩度×（ｒ４＋５）／１０
変更後の彩度（青）＝基準の彩度×（ｒ５＋５）／１０
したがって、ＯＳＤ画像の輝度、透過度、彩度は、それぞれ個別に、基準値に対して０．５倍〜１．５倍の範囲で、０．１倍単位で調整できる。
【００２７】
上記式から明らかなように、ＯＳＤ画像は、ｒ１〜ｒ５を全て５に設定した場合、基準の色彩になる。
【００２８】
ここで、色彩設定部７に記憶されているｒ１〜ｒ５の設定について説明する。操作部９において所定の入力操作を行うことにより、ｒ１〜ｒ５の設定変更画面が出力部８から出力され、接続されているテレビ受像機において表示される。ユーザは、この設定変更画面を見ながらは、ｒ１〜ｒ５を個別に設定する。例えば、ユーザに設定を変更するパラメータ（ｒ１〜ｒ５のいずれか）を選択させ、アップ／ダウンキーの操作に応じて、選択されているパラメータの値を１アップ、または１ダウンし、確定されたときの値を選択されているパラメータの値として色彩設定部７に記憶する。
【００２９】
なお、リモコン装置においても、所定の入力操作を行うことにより、ｒ１〜ｒ５の設定変更操作が行える。
【００３０】
また、上記説明ではアップ／ダウンキーの操作により、選択されているパラメータ（ｒ１〜ｒ５）の値を１アップ、または１ダウンさせるとしたが、つまみを表示し、このつまみの位置の変化に応じて選択されているパラメータ（ｒ１〜ｒ５）の値を変化させるようにしてもよい。
【００３１】
次に、ＯＳＤ画像を重ね合わせた合成映像を生成し、出力する処理について説明する。図２は、ＯＳＤ画像を重ね合わせた合成映像を生成し、出力する処理を示すフローチャートである。ＳＴＢ１は、ＯＳＤ画像メモリ５から受信部３で受信している映像に重ね合わせるＯＳＤ画像を読み出す（ｓ１）。ＳＴＢ１は、ｓ１で読み出したＯＳＤ画像の画素毎に、色彩設定部７に設定されているｒ１〜ｒ５のパラメータを用いて変更後の輝度、透過度、彩度（赤、緑、青）を算出し、色彩を変更したＯＳＤ画像を生成する（ｓ２）。
【００３２】
なお、ＯＳＤ画像メモリ５には、上述したように記憶しているＯＳＤ画像について、画素毎に輝度、透過度、彩度（赤、緑、青）を記憶している。ｓ２では、上述のように、変更後の輝度、透過度、彩度（赤、緑、青）が画素毎に算出される。
【００３３】
ＳＴＢ１は、ｓ２で生成した変更後のＯＳＤ画像の画素毎に、輝度、透過度、彩度（赤、緑、青）のそれぞれについて、予め設定されている上限値と下限値との間から外れているかどうかを判断し、上限値を超えている値については上限値とし、下限値未満のものについては下限値とする補正処理を行う（ｓ３）。ｓ３にかかる補正処理を行うことにより、輝度や透過度が大きくなりすぎたり、反対に小さくなりすぎるのを防止でき、また画像全体が赤みがかったりするのを防止できる。
【００３４】
ＳＴＢ１は、合成映像生成部６において、ｓ３で補正したＯＳＤ画像を、受信部３で受信している番組の映像に重ね合わせた合成映像を生成する（ｓ４）。ＳＴＢ１は、ｓ４で生成した合成映像を出力部８から出力する（ｓ５）。
【００３５】
ここで、ｓ３にかかる補正処理について説明する。ここでは、輝度を例にして説明するが、透過度、彩度（赤、緑、青）についても同様に補正される。図３に示すように、輝度が予め定めた上限値または下限値の範囲内にない画素については、上限値超えた画素の輝度を上限値に補正し、下限値未満の画素の輝度を下限値に補正する。
【００３６】
なお、図３において横軸がｓ２で算出された輝度であり、縦軸がｓ３で補正された輝度である。また、図に示すａが下限値であり、ｂが上限値である
また、輝度が上限値を超えた画素について、図４に示すようにその輝度を非線形に補正するようにしてもよい。
【００３７】
ここでは、ＯＳＤ画像の輝度についてのみｓ３にかかる補正処理を説明したが、透過度、彩度（赤、緑、青）についても同様に補正処理により補正される。
【００３８】
このように、この実施形態のＳＴＢ１は、受信部３で受信している番組の映像に重ね合わせるＯＳＤ画像について、輝度、透過度、彩度（赤、緑、青）を個別に設定することができるので、ユーザが自分の好みにあった色彩のＯＳＤ画像を重ね合わせた合成映像を出力させることができる。
【００３９】
また、ｓ３にかかる補正処理を行うことにより、輝度や透過度が大きくなりすぎたり、反対に小さくなりすぎるのを防止しているとともに、また画像全体が赤みがかったりするのを防止したので、例えばＯＳＤ画像全体の透過度が大きくなりすぎて、ＯＳＤ画像が表示されていない合成映像となったり、ＯＳＤ画像全体の彩度が極端に赤みがかったり、青みがかったりして、見にくい合成映像になるのを防止できる。
【００４０】
また、上記実施形態では、輝度、透過度、彩度（赤、緑、青）をＯＳＤ画像全体に対して変更可能であるとしたが、ＯＳＤ画像の一部の領域について輝度、透過度、彩度（赤、緑、青）の変更を制限するようにしてもよい。このようにすれば、ユーザが輝度、透過度、彩度（赤、緑、青）を変更したＯＳＤ画像であっても、このＯＳＤ画像の製作者の意図をユーザに確実に伝えることができる。
【００４１】
輝度、透過度、彩度（赤、緑、青）の変更を制限する領域を設定する方法としては、例えば画素の色で制限してもよいし（例えば黒色の画素については輝度、透過度、彩度（赤、緑、青）の変更を禁止する。）、ＯＳＤ画像内の領域を制限するようにしてもよい。色彩の変更が制限された画素については、ｓ２にかかる色彩の変更処理が禁止される。ｓ２では、色彩の変更が制限されていない画素についてのみ、色彩の変更処理が行われる。
【００４２】
さらに、文字を表示させるＯＳＤ画像については、背景の色に応じて、文字の色を自動的に変更するようにしてもよいし、文字に縁をつけたりして文字と背景との境界部分におけるコントラストを大きくしてもよい。このようにすれば、表示されたＯＳＤ画像における文字をユーザに見やすく表示することができる。
【００４３】
例えば、背景の映像（受信部３で受信した番組の映像）について、平均の輝度を算出し、ここで算出した輝度が、
▲１▼所定レベルより高いときには文字の輝度を低くし、
▲２▼所定レベルより低い時には文字の輝度を高くし、
▲３▼所定レベルの範囲内のときには縁付きや影付きの文字に変更する
補正を行うようにしてもよい。
【００４４】
なお、本願発明は、テレビ受像機に内臓された受信装置にも適用可能である。
【００４５】
【発明の効果】
以上のように、この発明によれば、ＯＳＤ画像の色彩をユーザが自分の好みに合わせて変更することができる。また、変更されたＯＳＤ画像の色彩について、補正処理を行うようにしたので、極端に赤みがかったり、青みがかったりしている見にくいＯＳＤ画像が表示されることもない。
【図面の簡単な説明】
【図１】この発明の実施形態であるＳＴＢの機能構成を示すブロック図である。
【図２】この発明の実施形態であるＳＴＢの動作を示すフローチャートである。
【図３】この発明の実施形態であるＳＴＢにおけるＯＳＤの輝度、透過度、彩度の変更可能範囲を示す図である。
【図４】この発明の別の実施形態にかかるＳＴＢにおけるＯＳＤの輝度、透過度、彩度の変更可能範囲を示す図である。
【符号の説明】
１−ＳＴＢ
２−制御部
３−受信部
４−デコーダ
５−ＯＳＤ画像メモリ
６−合成映像生成部
７−色彩設定部
８−出力部
９−操作部
【図１】
2004172792.tif 000003
【図２】
2004172792.tif 000004
【図３】
2004172792.tif 000005
【図４】
2004172792.tif 000006